(57)【特許請求の範囲】
【請求項１】
略同一の画像部分をそれぞれ含むデジタル形式の第１の画像要素とデジタル形式の第２の画像要素を自動的に位置合わせする方法であって、
第１の参照位置に対する前記第１の画像要素内の前記画像部分の相対位置を決定するステップと、
前記第１の参照位置に関連付けられた第２の参照位置に対する前記第２の画像要素内の前記画像部分の相対位置を決定するステップと、
前記第１の参照位置に対する前記第１の画像要素内の前記画像部分の相対位置と、前記第２の参照位置に対する前記第２の画像要素内の前記画像部分の相対位置との間の差を算出するステップと、
前記算出した相対位置の差に基づいて、前記第２の参照位置に対する前記第２の画像要素内の前記画像部分の位置が、前記第１の参照位置に対する前記第１の画像要素内の前記画像部分の位置と略同一となるように、前記第２の参照位置に対して前記第２の画像要素をずらすステップとを含む、方法。
【請求項２】
前記画像部分を選択するステップを更に含む、請求項１に記載の方法。
【請求項３】
前記画像部分を選択するステップは、
ディスプレイ装置上に前記第１の画像要素を表示する表示ステップと、
前記表示された第１の画像要素内の前記画像部分を人間の操作者により選択するステップとを含む、請求項２に記載の方法。
【請求項４】
前記第１の画像要素は、第１の画像コンテンツと第１の画像背景を含み、前記第２の画像要素は、第２の画像コンテンツと第２の画像背景を含み、
前記表示ステップは、更に、
前記第１の画像要素から前記第１の画像コンテンツと取り出すステップと、
前記第２の画像要素から前記第２の画像コンテンツと取り出すステップと、
前記第１の参照位置及び前記第２の参照位置が一致するような態様で互いに重畳された前記第１の画像コンテンツと前記第２の画像コンテンツを表示するステップとを含む、請求項３に記載の方法。
【請求項５】
前記表示ステップは、更に、前記第１の画像コンテンツと前記第２の画像コンテンツの一方を強調するステップを含む、請求項４に記載の方法。
【請求項６】
前記画像部分を含む画像部分領域をユーザにより決定するステップと、
コンピューター処理装置により前記画像部分領域内の前記画像部分を選択するステップと、
前記コンピューター処理装置により前記第１及び第２の参照位置のそれぞれに対する前記選択された画像部分の位置を決定するステップとを更に含む、請求項２〜５のうちのいずれか１項に記載の方法。
【請求項７】
前記画像部分を選択するステップは、前記画像部分領域内に存在する最大の画像ピクセル集合を決定することを含み、
前記位置を決定するステップは、
前記最大の画像ピクセル集合の参照ポイントを決定するステップと、
前記第１及び第２の参照位置のそれぞれに対する前記参照ポイントの位置を決定するステップとを含む、請求項６に記載の方法。
【請求項８】
前記画像部分は、所定の形状を有する所定の対象であり、
前記画像部分を選択するステップは、
前記画像部分領域と前記所定の対象と比較することにより前記画像部分領域内の前記所定の対象の参照ポイントを決定するステップと、
前記第１及び第２の参照位置のそれぞれに対する前記参照ポイントの位置を決定するステップとを含む、請求項６に記載の方法。
【請求項９】
前記所定の対象は、ユーザにより供給される、請求項８に記載の方法。
【請求項１０】
前記ユーザは、前記第１及び第２の画像要素の少なくとも一方内の前記所定の対象を指示する、請求項９に記載の方法。
【請求項１１】
前記コンピューター処理装置は、前記第１及び第２の画像要素を比較することにより前記第１及び第２の画像要素内の適切な対象を決定するように構成されている、請求項９に記載の方法。
【請求項１２】
更なる参照位置に対する更なる画像要素内の前記画像部分の相対位置を決定するステップと、
前記更なる参照位置に対する前記更なるの画像要素内の前記画像部分の位置が、前記第１の参照位置に対する前記第１の画像要素内の前記画像部分の位置と略同一となるように、前記更なる参照位置に対して前記更なる画像要素をずらすステップとを更に含む、請求項１〜１１のうちのいずれか１項に記載の方法。
【請求項１３】
前記画像要素は、走査された文書のページである、請求項１〜１２のうちのいずれか１項に記載の方法。
【請求項１４】
各画像要素に対してそれぞれの画像要素の前記参照位置に対する少なくとも２つの参照ポイントを決定するステップと、
それぞれの参照位置に対する画像要素の位置が、それぞれの参照位置に対する他の画像要素の位置と略同一になるように、少なくとも１つの画像要素をそれぞれの参照位置に対してずらす及び／又は回転する及び／又は倍率変更するステップとを更に含む、請求項１〜１３のうちのいずれか１項に記載の方法。
【請求項１５】
記少なくとも２つの参照ポイントは、２つ以上の画像要素内にそれぞれが存在する２つ以上の画像部分から決定される、請求項１４に記載の方法。
【請求項１６】
前記少なくとも２つの参照ポイントは、単一の画像部分から決定される、請求項１４に記載の方法。
【請求項１７】
前記参照位置は、参照フレームの角部である、請求項１〜１６のうちのいずれか１項に記載の方法。
【請求項１８】
前記参照フレームは、ページの縁部である、請求項１７に記載の方法。
【請求項１９】
前記参照位置は、ページの２つの対向する縁部に関連する、請求項１〜１８のうちのいずれか１項に記載の方法。
【請求項２０】
請求項１〜１９のうちのいずれか１項に記載の方法をコンピューターに実行させるためのコンピューター読み取り可能な指令を含むコンピューター読み取り可能な媒体。
【発明の詳細な説明】
【技術分野】
【０００１】
本発明は、第１の画像要素と第２の画像要素を自動的に位置合わせする方法に関する。特に、画像要素は、走査された文書ページであってよい。
【背景技術】
【０００２】
文書、特に複数ページを有する文書が走査されるとき、走査された画像は、ずらされ及び／又は回転される場合がある。その後、文書が再度印刷される場合、これらのページは、互いに対してずれる場合がある。ユーザ、即ち印刷された文書を読む人は、ずれたページを厄介に思う場合がある。
【０００３】
特許文献１には、印刷されるべきページの表ページと裏ページを位置合わせするための方法及びシステムが開示される。そこでは、表ページと裏ページは、透明な背景を持って表示され、互いに重畳される。ユーザは、表ページと裏ページが位置合わせされるように、若しくは、ユーザの望む方法で少なくとも位置合わせされるように、表ページ若しくは裏ページをずらすことができる。
【特許文献１】米国特許第５６６６２０８号
【発明の開示】
【発明が解決しようとする課題】
【０００４】
上述の方法及びシステムでは、ユーザ、即ちシステムの操作者は、表ページ若しくは裏ページを手動でずらす必要がある。特に、文書が比較的多数のページを含む場合、これは比較的多大な時間を要する。更に、単一のページの表ページと裏ページだけしか互いに位置合わせされることができない。従って、文書が２以上のページを含む場合、別々のページを互いに位置合わせすることは可能でない。
【０００５】
そこで、本発明は、複数のページを互いに対して位置合わせする方法を提供することを目的とする。
【課題を解決するための手段】
【０００６】
上記の目的は、請求項１による方法において達成される。
【０００７】
本発明による方法では、第１の画像要素と第２の画像要素が位置合わせされる。第１の画像要素と第２の画像要素は、例えば、走査された文書ページであってよい。しかし、画像要素は、同様に別の文書であってよいし及び／又は文書ページ以外の他の対象であってもよい。例えば、画像要素は、画像、文字文書若しくは任意の他のデジタル対象であってもよい。
【０００８】
各画像要素は、略同一の画像部分を含む。例えば、複数のページを含む文書では、各ページは、各ページ上で略同一の位置を有する略同一の対象を備えてよい。かかる対象は、例えばロゴであってよい。本発明は、効果的には、かかる共通の対象の存在を採用する。そこでは、本方法は、各画像要素内の共通の画像部分の位置を決定するステップを含む。
【０００９】
位置は、参照位置に対して決定される。例えば、参照位置は、所定の仮想的なポイントであってよく、若しくは、その他の対象に関連してもよい。例えば、参照位置は、文書ページに関連してもよく、特には、参照位置は、ページの縁部に関連してもよい。従って、かかる参照位置は、ページの任意の物理的特性若しくは他の画像要素にリンクされてもされなくてもよい。多数の画像要素の位置合わせを可能とするために、参照位置は、それぞれの画像要素若しくは対応する画像部分にリンクされない。従って、文書が後に印刷される場合、参照位置は、画像要素を、それらが印刷されるページに対して、各画像要素が各ページ上の略同一の位置に印刷される態様で、位置合わせするために使用されてもよい。当然ながら、参照位置は、各画像要素に対して設定される。画像要素の適切な位置合わせを可能とするために、各画像要素に対する参照位置は、これらの画像要素がそれぞれの参照位置に対して同一の位置を有する場合にこれらの画像要素が位置合わせされるような態様で、関連付けられる。
【００１０】
共通の対象、即ち略同一の画像部分は、各画像要素内に略同一の位置を有することが意図されるので、各画像要素は、書く画像部分のそれぞれの参照位置に対する位置が各画像要素に対して略同一になるようにずらされる。それ故に、本発明によれば、画像要素は、それぞれの参照位置に対して位置合わせされる。
【００１１】
一実施例では、画像部分は、画像要素から選択される。画像部分を選択することは、ユーザにより実行されてもよいし、若しくは、適切にプログラムされたコンピューター処理装置により自動的に実行されてもよい。コンピューター処理装置による自動選択は、略同一若しくは類似の画像部分を決定するために第１の画像要素と第２の画像要素を比較することによって実行されてもよい。各画像要素内の任意の画像部分は、本発明による方法において共通の画像部分として採用されてもよい。
【００１２】
ユーザが画像部分を選択する場合、第１の画像要素は、コンピューターモニタのようなディスプレイ装置に、ユーザが画像要素を見て画像部分を指示できるような態様で、表示されてもよい。尚、ユーザは、画像部分を指示してもよいし、若しくは、共通の画像部分を含む画像領域を指示してもよい。後者の場合、コンピューター処理装置は、選択された画像領域内の共通の部分を決定してもよい。処理装置は、共通の画像部分の相対位置を決定するために、選択された領域に対して任意の種類の適切なアルゴリズムを適用してもよい。一実施例では、第１の画像要素が表示されるだけでなく、２以上若しくは考えられる全ての画像要素が、互いに対して重畳されて表示される。その場合、各画像要素の画像コンテンツは、画像背景から分離される。この際、各画像コンテンツは、他の画像コンテンツに対して重畳表示され、それぞれの参照位置はそれらが一致する態様で位置付けされる。従って、位置合わせが所望のものか否か及び／又は共通の画像部分が存在するか否かを容易に検出することができる。効果的には、共通の画像部分の選択は、かかる重ね合わせの表示で実行されてもよい。一実施例では、画像コンテンツの１つが選択されると共に、例えば異なる色により、強調（ハイライト）され、これにより、どの画像要素が他の画像要素に比べて比較的大きい距離でずれているかを判断することや、どの画像要素が、他の像要素を正確に位置付けされた画像要素に対応する位置にずらすことができるように、正確に位置付けされるか判断することが、可能となる。
【００１３】
上述の如く、ユーザは、共通の画像部分を含む画像部分領域を指示してもよい。コンピューター処理装置は、参照位置に対する位置を決定するためにアルゴリズムを適用してもよい。一実施例では、コンピューター処理装置は、共通の画像部分領域内の最大の画像ピクセルの集合を決定してもよい。この際、コンピューター処理装置は、当該最大のピクセルの集合の参照ポイントを決定すると共に、参照位置に対する参照ポイントの相対位置を決定してもよい。かかる最大のピクセルの集合の参照ポイントは、集合の幾何的な中心点、集合の左上のピクセルの位置、若しくは、任意の他の適切な集合の参照ポイントであってよい。
【００１４】
一実施例では、所定の形状を有する所定の対象が与えられ、コンピューター処理装置は、指示された画像部分領域内に所定の対象を見つけるために、例えば、関連分野で知られるような、相関技術及び／又はパターン認識技術を適用することにより、画像部分領域を検査する。この際、上述の如く、参照ポイントが決定され、参照位置に対する参照ポイントの相対位置が決定される。所定の対象は、例えば別の画像として、ユーザにより付与されてもよいし、若しくは、画像要素の１つから取り出されてもよい。一実施例では、コンピューター処理装置は、与えられた画像要素から適切な共通の画像部分を、例えば当該与えられた画像要素間の比較により、自動的に決定し選択するよう構成される。
【００１５】
本発明は、第１及び第２の画像要素のセットに適用されてもよいが、同様に、３つ以上の画像要素に適用されてもよい。３つ以上の画像要素が使用される場合、全ての画像要素が、第１の画像要素に対して位置合わせされてもよいし、若しくは、それぞれの画像要素が、先行する画像要素が事前に位置合わせされたことを前提として、先行する画像要素に対して位置合わせされてもよい。
【００１６】
更に、全てのページが共通の画像部分を有していないが、共通の対象をそれぞれ含む画像要素の２つのサブセットが存在する場合、各サブセットが、共通の画像部分を用いて位置合わせされてもよい。サブセットは、双方のサブセットの部分である画像要素を位置合わせすることによって互いに対して位置合わせされてもよい。従って、他言すると、第１のサブセットの画像要素が先ず位置合わせされてもよい。次いで、第１のサブセットにおいて、第２のサブセットの一員でもある画像要素が選択される。次いで、選択された画像要素を用いて、第２のサブセットの他の画像要素が、当該選択された画像要素に対して位置合わせされ、これにより、第２のサブセットの画像要素が第１のサブセットに対して位置合わせされる。
【００１７】
一実施例では、２つ以上の参照ポイント及びそれぞれの参照位置に対する対応する位置が、各画像要素から決定される。複数の相対位置を用いることによって、画像要素をずらすこと、回転すること及び／又は倍率変更することが可能となる。複数の相対位置は、単一の画像部分から決定されてもよいし、若しくは、複数の共通の画像部分から決定されてもよい。
【００１８】
参照位置に対する画像部分の相対位置は、参照フレームの角部（選択されたフレームがかかる角部を有することを想定）に対する画像部分の参照ポイントの相対位置として決定されてもよい。例えば、参照位置が、ページの縁部に一致する場合、ページの縁部が、参照フレームとして看做されてよく、相対位置は、ページの左上の角部に対して決定されてもよい。その他の実施例では、相対位置は、かかる参照フレームの２つの対向する側部に対して決定されてもよく、参照位置の当該対向する側部間で画像要素を中心合わせすることを可能とする。例えば、多くの文書では、ページ番号が中央配置される。従って、ページ番号を共通の画像部分として選択するとき、第１の画像要素は、ページ番号を中心合わせすることにより位置合わせされてもよい一方、第２及び更なる画像要素は、第１の画像要素に対して位置合わせされてもよい。
【００１９】
一の局面では、本発明は、コンピューター読み取り可能な媒体上のコンピュータープログラムを提供する。コンピュータープログラムは、本発明による方法をコンピューターに実行させるためのコンピューター読み取り可能な指令を含む。
【００２０】
更なる局面では、本発明は、本発明による方法を実行するように構成されたコンピューター処理システムを含む。
【発明を実施するための最良の形態】
【００２１】
以下、本発明は、非限定的な実施例を示す添付図面を参照して教示される。
【００２２】
図においては、同一の参照符号が同一の要素に付与されている。図１Ａは、模範的な第１の文書ページ１０Ａを示す。第１の文書ページ１０Ａの縁部の左上の角部（コーナ）１２は、以下で説明する本発明による位置合わせ用の参照位置として選択される。尚、参照位置１２の選択は任意であり、第１の文書ページ１０Ａのコンテンツに関連しない他の位置が適切に選択されてもよい。
【００２３】
文書コンテンツ１４は、第１の文書ページ１０Ａ上に付与される。図示の文書コンテンツ１４は、ヘッダー１６、コンテンツ領域１８及びフッター２０を含む。コンテンツ領域１８は、文字及び／又は画像を含んでよい。ヘッダー１６及びフッター２０は、任意の種類の文字及び／又は画像を含んでよいが、実際には、ヘッダー１６及び／又はフッター２０は、ページ番号２２Ａ、出版日２２Ｂ、著者名、会社名、会社ロゴ、章タイトル、文書タイトル、及び／又は、文書に関連する任意の他の一般的な情報を含んでよい。
【００２４】
第１の文書ページ１０Ａは、コンテンツ１４を含む。コンテンツ１４は、文書ページ１０Ａよりも小さく図示されている。従って、図示された文書ページ１０Ａは、文書ページ１０Ａの背景として看做されてもよい。しかし、実際には、ここで用いられるように、コンテンツ１４は、全ての文字、画像、及び、情報を含み且つ位置合わせされるべき他の対象を含む。ここで用いられるような背景は、情報を含まず及び／又は位置合わせされるべきものでない。例えば、文書ページ１０が走査された文書であり、原文書が文字、画像及び／又は他の印刷された対象を備える白の紙片である場合、コンテンツ１４は、提示され、白の表面上に重畳表示される。かかる一例では、ここで使用される背景は、白の表面である一方、全ての文字、画像及び他の対象はコンテンツ１４である。尚、従来的な意味での背景は、例えば、すかし模様及び／又は他の画像を含む場合がある。ここで使用されるように、すかし模様及び／又は他の画像は、コンテンツ１４の一部であってよい。
【００２５】
図１Ｂは、同様の第２の文書ページ１０Ｂを示す。特に、第１の文書ページ１０Ａ及び第２の文書ページ１０Ｂは、同一の文書に含まれているものと仮定する。それ故に、ヘッダー１６及びフッター２０は、略同一であると想定される。例外として、ページ番号２２Ａは、当然ながら、異なるが、ページ番号２２Ａのレイアウトは同じである。それぞれの文書ページ１０Ａ，１０Ｂ上の出版日２２Ｂは同じである。
【００２６】
図面から明らかであるように、第１の文書ページ１０Ａに対する第１の文書ページ１０Ａのコンテンツ１４の位置は、第２の文書ページ１０Ｂのコンテンツ１４の位置と異なる。かかる差異は、例えば文書を走査することによって生ずる場合がある。しかし、走査された文書が再び印刷される場合、各コンテンツ１４がそれぞれの文書ページ１０Ａ，１０Ｂ上で略同一の相対位置を有することが望ましい。
【００２７】
図２は、第１の文書ページ１０Ａの画像部分２４Ａを示す。図示された画像部分２４Ａは、フッター２０の一部であり、ページ番号２２Ａ及び出版日２２Ｂを含む。略同一の部分は、第２の文書ページ１０Ｂ内に存在するが、ページ番号２２Ａは異なり、例えば‘２’である。それ故に、画像２４Ａは、共通の画像部分２４Ａと看做されてよい。
【００２８】
図３Ａは、第１の文書ページ１０Ａ（図１Ａ）の共通の画像部分２２Ａと第２の文書ページ１０Ｂ（図１Ｂ）の略同一の共通の画像部分２２Ｂを示す。文書ページ１０Ａ及び１０Ｂのおそらくは白色の背景は、除去されており、画像部分２４Ａ，２４Ｂのコンテンツが重畳されている、即ち、互いの上に表示されている。それぞれの参照位置１２に対する位置は維持されている。従って、明らかに分かるように、画像部分２４Ａ，２４Ｂは、異なる相対位置を有し、従って、それぞれの対応する画像要素、特にそれぞれのコンテンツ１４は、それぞれの文書ページ１０Ａ、１０Ｂに対して異なる位置を有する。
【００２９】
文書ページ１０Ａ、１０Ｂを互いに対して位置合わせするために、本発明によれば、画像部分２４Ａ，２４Ｂの相対位置の差が求められる。従って、第１の文書ページ１０Ａの参照位置１２に対する第１の画像部分２４Ａの位置が決定されると共に、第２の文書ページ１０Ｂの参照位置１２に対する第２の画像部分２４Ｂの位置が決定される。
【００３０】
相対位置は、画像部分２４Ａ，２４Ｂの共通の特徴に基づいて決定されてもよい。この際、コンピューター処理装置は、所定のアルゴリズムを適用して参照ポイントを定義してもよい。アルゴリズムは、画像部分領域２６を評価して、ピクセルの最大集合を決定することにより最大の対象を決定することを含んでよい。この際、参照ポイントは、かかるピクセル集合の幾何的な中心であってよい。しかし、任意の他の適切なアルゴリズムが同様に採用されてもよい。当然ながら、ユーザは、唯一の対象を含む領域を選択するだけでもよく、この場合、上述のアルゴリズムは、より信頼性の高い結果を生むことができる。一例として、位置合わせに対して必要なずれは、出版日２２Ｂの注記におけるコンマの位置に基づいて矢印２８により指示される。
【００３１】
特に領域が後に詳説する重畳表示で選択されるとき、ユーザにより選択される領域は、探索領域を定義するために使用されてもよい。探索領域は、共通の画像部分が各画像要素内に存在しうる領域を指示してもよい。従って、本発明による方法を実行するのに必要な計算負荷を低減することができる。
【００３２】
一実施例では、画像処理が、全体として文書ページ１０Ａ、１０Ｂ内若しくは選択された画像部分領域２６内の共通の画像部分を見つけるために適用されてもよい。かかる画像処理は、相関技術及び／又はパターン認識技術及び／又は任意の他の適切な技術を含んでよい。一実施例では、ユーザは、共通の画像部分に類似する対象を提供してよく、コンピューター処理装置は、画像処理により、各画像要素上における当該提供された対象の位置を決定してもよい。
【００３３】
一実施例では、第１の画像要素が前の若しくは他の画像要素に位置合わせされることができないことを考慮して、第１の画像要素は、参照位置１２に対して位置合わせされてもよい。例えば、参照位置１２は、ページの２つの対向する縁部に関連してよく、例えば対向する縁部に対して中心化されてもよい。図１Ａに示すように、ページ番号２２Ａを中心化することが意図されてもよい。かかる場合、第１のページは、ページ番号２２Ａが中心に来るようにコンテンツ１４をずらすことによってページ番号２２Ａの所期の位置に基づいて位置合わせされてもよい。当然ながら、既知の所期の位置を有する適切な対象が使用されてもよい。この方法を用いて第１の画像要素を位置合わせした後、第２及び更なる画像要素は、本発明により第１の画像要素に対して位置合わせされてもよい。決定された相対位置に基づいて、画像部分２４Ａ，２４Ｂの位置間の差が決定される。差は、次いで、第２の画像要素、即ち第２の文書ページ１０Ｂを、画像部分２４Ａ，２４Ｂがそれぞれの参照位置１２に対して同一の位置を有するように、ずらすために採用される。図３Ｂは、位置合わせされた画像部分２４Ａ，２４Ｂの重畳表示を示し、画像部分２４Ａ，２４Ｂは、背景無しで重畳表示されている。２つの画像部分２４Ａ，２４Ｂは、矢印２８によりずらされており従って位置合わせされているので、ページ番号２２Ａを見ることによって重ね合わせのみが可視である。ページ番号‘１’及び‘２’が明らかに可視である（もっともこれらは重畳されているが）。
【００３４】
図３Ａ及び図３Ｂに示すような重畳表示により、ユーザは、共通の画像部分、即ち少なくとも１つの共通の特徴を有する画像部分が文書ページ１０Ａ、１０Ｂのような多数の画像要素内に存在するか否かを判断することが可能である。特に、比較的多数の画像要素が位置合わせされる必要がある場合、重畳表示は有用となりうる。更に、重畳表示は、また、位置合わせの必要性に関する情報も提供する。一実施例では、重畳表示内の各画像要素のコンテンツは、選択され、例えば当該画像要素のコンテンツを他の色で表示することにより、強調されてもよい。かかる選択により、ユーザは、どのページが位置合わせが必要かを判断すること、どの画像要素が位置合わせを必要としない第１の画像要素として使用できるかを判断すること、及び／又は、どの画像要素が手動の位置合わせを必要とするか（例えば、共通の画像部分を欠いているため）を判断することが可能である。
【００３５】
一実施例では、多数の参照位置が決定され、これにより、画像要素を互いに対してずらすことだけでなく、更に、画像要素が同一の位置、向き、形状及び／又はサイズを有するように、画像要素を回転及び／又は倍率変更し、及び／又は、画像要素に任意の更なる操作を実行することも可能となる。
【００３６】
一実施例では、表ページと裏ページにそれぞれ印刷されるべき複数のページを含む文書の奇数と偶数のページが、別々に取り扱いされてもよい。奇数ページ若しくは偶数ページが位置合わせの前に鏡像で写されてもよい。位置合わせの後、鏡像で写されたページが、再び鏡像で写され、それらのもとの向きが再び得られる。上述の方法の１つ若しくは別々の取り扱い及び鏡像写しの組み合わせは、位置合わせされるべき文書ページのコンテンツに依存して採用されてもよい。
【００３７】
上述から、提示された方法が自動の位置合わせを可能とすることは明らかである。２つの画像要素が位置合わせされる実施例が詳説されたが、当業者にとっては、本方法が、比較的小さい数及び大きい数の文書要素、即ち文書ページの双方を自動的に位置合わせするのに適していることは明らかである。
【図面の簡単な説明】
【００３８】
【図１Ａ】第１の文書ページを示す図。
【図１Ｂ】第２の文書ページを示す図。
【図２】図１Ａ及び１Ｂによる第１及び第２の文書ページの共通の画像部分を示す図。
【図３Ａ】位置合わせ前における図１Ａ及び１Ｂによる文書ページの共通の画像部分の重ね合わせた表示を示す図。
【図３Ｂ】位置合わせ前における図１Ａ及び１Ｂによる文書ページの共通の画像部分の重ね合わせた表示を示す図。
【符号の説明】
【００３９】
１０Ａ    第１の文書ページ
１０Ｂ    第２の文書ページ
１２    角部
１４    文書コンテンツ
【図１Ａ】
0005142836.tif 000002
【図１Ｂ】
0005142836.tif 000003
【図２】
0005142836.tif 000004
【図３Ａ】
0005142836.tif 000005
【図３Ｂ】
0005142836.tif 000006